【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
ソースデバイスにおけるサービス発見の方法であって、
複数のシンクデバイスとの同期ストリーミングサービスについての発見を開始することと、前記発見を前記開始することは、複数のシンクデバイスとの同時セッションをサポートするための前記ソースデバイスの同時セッション能力の指示を少なくとも送信することを備える、
前記複数のシンクデバイスの各々のオーディオまたはビデオ能力のうちの少なくとも１つを受信することと、前記オーディオまたはビデオ能力は、少なくともマルチシンクオーディオレンダリングのための同時セッション能力を備える、
前記複数のシンクデバイスの各々の前記オーディオまたはビデオ能力が前記ソースデバイスによってシークされる前記同期ストリーミングサービスについての構成を満たすと決定することと、
前記ソースデバイスと前記複数のシンクデバイスとの間でＷｉ−Ｆｉディスプレイ（ＷＦＤ）セッションを確立する前に、前記複数のシンクデバイスの各々の前記オーディオまたはビデオ能力が前記ソースデバイスによってシークされる前記同期ストリーミングサービスについての前記構成を満たすと決定することに少なくとも部分的に基づいて、前記ソースデバイスと前記複数のシンクデバイスとの間でサービス発見セッションを確立することと
を備える、方法。
【請求項２】
前記同期ストリーミングサービスをセットアップするために必要とされるサービス情報についてのパラメータ要求メッセージを前記複数のシンクデバイスに送信すること
をさらに備える、請求項１に記載の方法。
【請求項３】
前記パラメータ要求メッセージは、オーディオストリーミングに関連付けられたモードおよびオーディオコーデックを示すオーディオコーデックパラメータを含む、請求項２に記載の方法。
【請求項４】
前記パラメータ要求メッセージは、前記複数のシンクデバイスの予め割り当てられた役割またはロケーションをクエリする、請求項２に記載の方法。
【請求項５】
コンテンツタイプをレンダリングするために、前記複数のシンクデバイスの各々の前記オーディオまたはビデオ能力に少なくとも部分的に基づいて前記複数のシンクデバイスをマッピングすること
をさらに備える、請求項１に記載の方法。
【請求項６】
前記ソースデバイスのディスプレイ上に少なくとも１つのシンクデバイスの予め割り当てられた役割またはロケーションを示す名称または識別情報（ＩＤ）を表示すること
をさらに備える、請求項１に記載の方法。
【請求項７】
前記同期ストリーミングサービスが可能な前記複数のシンクデバイスと前記ソースデバイスとの間での前記サービス発見セッションは、インフラストラクチャネットワークまたはピアツーピア（Ｐ２Ｐ）接続上で遂行される、請求項１に記載の方法。
【請求項８】
前記ソースデバイスと前記複数のシンクデバイスとの間での関連付け後能力ネゴシエーションを開始すること、ここにおいて、前記関連付け後能力ネゴシエーションは、前記ソースデバイスと前記複数のシンクデバイスとの間でのＴＣＰ接続中でリアルタイムストリーミングプロトコル（ＲＴＳＰ）を利用する、
をさらに備える、請求項１に記載の方法。
【請求項９】
前記関連付け後能力ネゴシエーションは、前記同期ストリーミングサービスをセットアップするために、デバイスの役割、コンテンツのタイプ、同期方法、またはそれらの任意の組み合わせを含む同期ストリーミング構成パラメータを含むことを求める、前記ソースデバイスからのセットアップ要求を備える、請求項８に記載の方法。
【請求項１０】
前記オーディオまたはビデオ能力は、デバイス情報、関連する基本サービスセット識別情報（ＢＳＳＩＤ）、サポートされたオーディオフォーマット、サポートされたビデオフォーマット、３次元（３−Ｄ）ビデオフォーマット、コンテンツ保護、結合されたシンク情報、拡張された能力、ローカルインターネットプロトコル（ＩＰ）アドレス、セッション情報を表示すること、媒体アクセス制御（ＭＡＣ）アドレス、同期ストリーミング情報、またはそれらの任意の組み合わせのうちの少なくとも１つをさらに備える、請求項１に記載の方法。
【請求項１１】
前記同期ストリーミング情報は、シンクデバイスのタイプ、同期レンダリンクのためのコンテンツのタイプ、コンテンツ処理能力、前記複数のシンクデバイスの予め割り当てられた役割またはロケーション、タイミング同期のサポートされた方法、サポートされた接続トポロジおよび発見方法、ベンダ情報、またはそれらの任意の組み合わせのうちの少なくとも１つを含む、請求項１０に記載の方法。
【請求項１２】
前記オーディオまたはビデオ能力は、関連付け前の状態中またはインフラストラクチャ接続中に発見される、請求項１に記載の方法。
【請求項１３】
前記複数のシンクデバイスの各々のオーディオまたはビデオ能力のうちの少なくとも１つを受信することは、前記複数のシンクデバイスがサービスアドバタイザの役割を引き受けることを備える、請求項１に記載の方法。
【請求項１４】
前記複数のシンクデバイスは、前記ソースデバイスから受信される前記同期ストリーミングサービスのサービス発見に対応するクエリに関して前記同期ストリーミングサービスをセットアップするために必要とされる能力を包含するサービス情報を送信する、請求項１３に記載の方法。
【請求項１５】
ソースデバイスにおけるサービス発見のための装置であって、
複数のシンクデバイスとの同期ストリーミングサービスについての発見を開始することと、前記発見を前記開始することは、複数のシンクデバイスとの同時セッションをサポートすることについての前記ソースデバイスの同時セッション能力の指示を少なくとも送信することを備え、前記複数のシンクデバイスの各々のオーディオまたはビデオ能力のうちの少なくとも１つを受信することとを行うためのサービス発見コンポーネントと、前記オーディオまたはビデオ能力は、少なくともマルチシンクオーディオレンダリングのための同時セッション能力を備え、
前記サービス発見コンポーネントは、前記複数のシンクデバイスの各々の前記オーディオまたはビデオ能力が前記ソースデバイスによってシークされる前記同期ストリーミングサービスについての構成を満たすと決定するためにさらに構成される、
前記ソースデバイスと前記複数のシンクデバイスとの間でＷｉ−Ｆｉディスプレイ（ＷＦＤ）セッションを確立する前に、前記複数のシンクデバイスの各々の前記オーディオまたはビデオ能力が前記ソースデバイスによってシークされる前記同期ストリーミングサービスについての前記構成を満たすと決定することに少なくとも部分的に基づいて、前記ソースデバイスと前記複数のシンクデバイスとの間でサービス発見セッションを確立するための通信確立コンポーネントと
を備える、装置。
【請求項１６】
前記同期ストリーミングサービスをセットアップするために必要とされるサービス情報についてのパラメータ要求メッセージを前記複数のシンクデバイスに送信するためのパラメータ要求コンポーネント
をさらに備える、請求項１５に記載の装置。
【請求項１７】
前記パラメータ要求メッセージは、オーディオストリーミングに関連付けられたモードおよびオーディオコーデックを示すオーディオコーデックパラメータを含む、請求項１６に記載の装置。
【請求項１８】
前記パラメータ要求メッセージは、前記複数のシンクデバイスの予め割り当てられた役割またはロケーションをクエリする、請求項１６に記載の装置。
【請求項１９】
コンテンツタイプをレンダリングするために、前記複数のシンクデバイスの各々の前記オーディオまたはビデオ能力に少なくとも部分的に基づいて前記複数のシンクデバイスをマッピングするためのシンクマッピングコンポーネント
をさらに備える、請求項１５に記載の装置。
【請求項２０】
前記ソースデバイスのディスプレイ上に少なくとも１つのシンクデバイスの予め割り当てられた役割またはロケーションを示す名称または識別情報（ＩＤ）を表示するためのディスプレイコンポーネント
をさらに備える、請求項１５に記載の装置。
【請求項２１】
前記同期ストリーミングサービスが可能な前記複数のシンクデバイスと前記ソースデバイスとの間での前記サービス発見セッションは、インフラストラクチャネットワークまたはピアツーピア（Ｐ２Ｐ）接続上で遂行される、請求項１５に記載の装置。
【請求項２２】
前記ソースデバイスと前記複数のシンクデバイスとの間での関連付け後能力ネゴシエーションを開始するための関連付け後コンポーネント、ここにおいて、前記関連付け後能力ネゴシエーションは、前記ソースデバイスと前記複数のシンクデバイスとの間でのＴＣＰ接続中でリアルタイムストリーミングプロトコル（ＲＴＳＰ）を利用する、
をさらに備える、請求項１５に記載の装置。
【請求項２３】
前記関連付け後能力ネゴシエーションは、同期ストリーミングセッションをセットアップするために、デバイスの役割、コンテンツのタイプ、同期方法、またはそれらの任意の組み合わせを含む同期ストリーミング構成パラメータを含むことを求める、前記ソースデバイスからのセットアップ要求を備える、請求項２２に記載の装置。
【請求項２４】
前記オーディオまたはビデオ能力は、デバイス情報、関連する基本サービスセット識別情報（ＢＳＳＩＤ）、サポートされたオーディオフォーマット、サポートされたビデオフォーマット、３次元（３−Ｄ）ビデオフォーマット、コンテンツ保護、結合されたシンク情報、拡張された能力、ローカルインターネットプロトコル（ＩＰ）アドレス、セッション情報を表示すること、媒体アクセス制御（ＭＡＣ）アドレス、同期ストリーミング情報、またはそれらの任意の組み合わせのうちの少なくとも１つを含む、請求項１５に記載の装置。
【請求項２５】
前記同期ストリーミング情報は、シンクデバイスのタイプ、同期レンダリンクのためのコンテンツのタイプ、コンテンツ処理能力、前記複数のシンクデバイスの予め割り当てられた役割またはロケーション、タイミング同期のサポートされた方法、サポートされた接続トポロジおよび発見方法、ベンダ情報、またはそれらの任意の組み合わせのうちの少なくとも１つを含む、請求項２４に記載の装置。
【請求項２６】
前記オーディオまたはビデオ能力は、関連付け前の状態中またはインフラストラクチャ接続中に発見される、請求項１５に記載の装置。
【請求項２７】
前記複数のシンクデバイスの各々の前記オーディオまたはビデオ能力のうちの少なくとも１つを受信することは、前記複数のシンクデバイスがサービスアドバタイザの役割を引き受けることを備える、請求項１５に記載の装置。
【請求項２８】
前記複数のシンクデバイスは、前記ソースデバイスから受信される前記同期ストリーミングサービスのサービス発見に対応するクエリに関して前記同期ストリーミングサービスをセットアップするために必要とされる能力を包含するサービス情報を送信する、請求項２７に記載の装置。
【請求項２９】
ソースデバイスにおけるサービス発見のための装置であって、
プロセッサと、
前記プロセッサと電子通信中のメモリと、
前記メモリ中に記憶された命令と
を備え、前記命令は、
複数のシンクデバイスとの同期ストリーミングサービスについての発見を開始することと、前記発見を前記開始することは、複数のシンクデバイスとの同時セッションをサポートするための前記ソースデバイスの同時セッション能力の指示を少なくとも送信することを備える、
前記複数のシンクデバイスの各々のオーディオまたはビデオ能力のうちの少なくとも１つを受信することと、前記オーディオまたはビデオ能力は、少なくともマルチシンクオーディオレンダリングのための同時セッション能力を備える、
前記複数のシンクデバイスの各々の前記オーディオまたはビデオ能力が前記ソースデバイスによってシークされる前記同期ストリーミングサービスについての構成を満たすと決定することと、
前記ソースデバイスと前記複数のシンクデバイスとの間でＷｉ−Ｆｉディスプレイ（ＷＦＤ）セッションを確立する前に、前記複数のシンクデバイスの各々の前記オーディオまたはビデオ能力が前記同期ストリーミングサービスについての前記構成を満たすと決定することに少なくとも部分的に基づいて、前記ソースデバイスと前記複数のシンクデバイスとの間でサービス発見セッションを確立することと
を行うように前記プロセッサによって実行可能である、装置。
【請求項３０】
前記命令は、
前記同期ストリーミングサービスをセットアップするために必要とされるサービス情報についてのパラメータ要求メッセージを前記複数のシンクデバイスに送信すること
を行うように前記プロセッサによって実行可能である、請求項２９に記載の装置。
【請求項３１】
前記パラメータ要求メッセージは、オーディオストリーミングに関連付けられたモードおよびオーディオコーデックを示すオーディオコーデックパラメータを含む、請求項３０に記載の装置。
【請求項３２】
前記パラメータ要求メッセージは、前記複数のシンクデバイスの予め割り当てられた役割またはロケーションをクエリする、請求項３０に記載の装置。
【請求項３３】
前記命令は、
コンテンツタイプをレンダリングするために、前記複数のシンクデバイスの各々の前記オーディオまたはビデオ能力に少なくとも部分的に基づいて前記複数のシンクデバイスをマッピングすること
を行うように前記プロセッサによって実行可能である、請求項２９に記載の装置。
【請求項３４】
前記命令は、
前記ソースデバイスのディスプレイ上に少なくとも１つのシンクデバイスの予め割り当てられた役割またはロケーションを示す名称または識別情報（ＩＤ）を表示すること
を行うように前記プロセッサによって実行可能である、請求項２９に記載の装置。
【請求項３５】
前記同期ストリーミングサービスが可能な前記複数のシンクデバイスと前記ソースデバイスとの間での前記サービス発見セッションは、インフラストラクチャネットワークまたはピアツーピア（Ｐ２Ｐ）接続上で遂行される、請求項２９に記載の装置。
【請求項３６】
前記命令は、
前記ソースデバイスと前記複数のシンクデバイスとの間での関連付け後能力ネゴシエーションを開始すること、ここにおいて、前記関連付け後能力ネゴシエーションは、前記ソースデバイスと前記複数のシンクデバイスとの間でのＴＣＰ接続中でリアルタイムストリーミングプロトコル（ＲＴＳＰ）を利用する、
を行うように前記プロセッサによって実行可能である、請求項２９に記載の装置。
【請求項３７】
前記関連付け後能力ネゴシエーションは、同期ストリーミングセッションをセットアップするために、デバイスの役割、コンテンツのタイプ、同期方法、またはそれらの任意の組み合わせを含む同期ストリーミング構成パラメータを含むことを求める、前記ソースデバイスからのセットアップ要求を備える、請求項３６に記載の装置。
【請求項３８】
前記オーディオまたはビデオ能力は、デバイス情報、関連する基本サービスセット識別情報（ＢＳＳＩＤ）、サポートされたオーディオフォーマット、サポートされたビデオフォーマット、３次元（３−Ｄ）ビデオフォーマット、コンテンツ保護、結合されたシンク情報、拡張された能力、ローカルインターネットプロトコル（ＩＰ）アドレス、セッション情報を表示すること、媒体アクセス制御（ＭＡＣ）アドレス、同期ストリーミング情報、またはそれらの任意の組み合わせのうちの少なくとも１つを含む、請求項２９に記載の装置。
【請求項３９】
前記同期ストリーミング情報は、シンクデバイスのタイプ、同期レンダリンクのためのコンテンツのタイプ、コンテンツ処理能力、前記複数のシンクデバイスの予め割り当てられた役割またはロケーション、タイミング同期のサポートされた方法、サポートされた接続トポロジおよび発見方法、ベンダ情報、またはそれらの任意の組み合わせのうちの少なくとも１つを含む、請求項３８に記載の装置。
【請求項４０】
ソースデバイスにおけるサービス発見のためのコードを記憶する非一時的コンピュータ可読媒体であって、前記コードは、
複数のシンクデバイスとの同期ストリーミングサービスについての発見を開始することと、前記発見を前記開始することは、複数のシンクデバイスとの同時セッションをサポートするための前記ソースデバイスの同時セッション能力の指示を少なくとも送信することを備える、
前記複数のシンクデバイスの各々のオーディオまたはビデオ能力のうちの少なくとも１つを受信することと、前記オーディオまたはビデオ能力は、少なくともマルチシンクオーディオレンダリングのための同時セッション能力を備える、
前記複数のシンクデバイスの各々の前記オーディオまたはビデオ能力が前記ソースデバイスによってシークされる前記同期ストリーミングサービスについての構成を満たすと決定することと、
前記ソースデバイスと前記複数のシンクデバイスとの間でＷｉ−Ｆｉディスプレイ（ＷＦＤ）セッションを確立する前に、前記複数のシンクデバイスの各々の前記オーディオまたはビデオ能力が前記ソースデバイスによってシークされる前記同期ストリーミングサービスについての前記構成を満たすと決定することに少なくとも部分的に基づいて、前記ソースデバイスと前記複数のシンクデバイスとの間でサービス発見セッションを確立することと
を行うように実行可能な命令を備える、非一時的コンピュータ可読媒体。